(57)【要約】【課題】省電力状態にある複写機を外部の電話機からスタンバイ状態への復帰処理を指示できるようにし、また、逆に使用後はスタンバイ状態から省電力状態への指示も電話機から行なえるようにすることで、ユーザーの利便性を向上させることを目的とする。【解決手段】  外部の電話機と回線をつなぐための通信手段、消費電力が低い省電力状態へ移行するための省電力移行手段、前記省電力状態から復帰し動作が可能であるスタンバイ状態に移行するための省電力復帰手段を有する画像処理装置であって、画像処理装置の状態が省電力状態かスタンバイ状態かを判断する状態判断手段、外部の電話機からの呼び出しを着信履歴として内部で保持するための着信履歴保持手段、電話機からの呼び出し後、前記状態判断手段の結果に応じて省電力状態からスタンバイ状態への復帰処理を行なわなければならないかを判断する復帰処理判断手段、を持つことを特徴とする画像処理装置。【選択図】        図１
2006165657.tif 000002
【特許請求の範囲】
【請求項１】
外部の電話機と回線をつなぐための通信手段、消費電力が低い省電力状態へ移行するための省電力移行手段、前記省電力状態から復帰し動作が可能であるスタンバイ状態に移行するための省電力復帰手段を有する画像処理装置であって、
画像処理装置の状態が省電力状態かスタンバイ状態かを判断する状態判断手段、外部の電話機からの呼び出しを着信履歴として内部で保持するための着信履歴保持手段、電話機からの呼び出し後、前記状態判断手段の結果に応じて省電力状態からスタンバイ状態への復帰処理を行なわなければならないかを判断する復帰処理判断手段、
を持つことを特徴とする画像処理装置。
【請求項２】
外部の電話機からの呼び出し後に前記状態判断手段の結果がスタンバイ状態となった場合に前記着信履歴保持手段で保持した着信先に呼び出しをかけるリコール手段、
を持つことを特徴とする請求項１記載の画像処理装置。
【請求項３】
外部の電話機と回線をつなぐための通信手段、消費電力が低い省電力状態へ移行するための省電力移行手段、前記省電力状態から復帰し動作が可能であるスタンバイ状態に移行するための省電力復帰手段を有する画像処理装置であって、
画像処理装置の状態が省電力状態かスタンバイ状態かを判断する状態判断手段、外部の電話機からの呼び出しを着信履歴として内部で保持するための着信履歴保持手段、電話機からの呼び出しに対し、前記状態判断手段の結果に応じてスタンバイ状態から省電力状態への移行処理を行なわなければならないかを判断する省電力移行処理判断手段、
を持つことを特徴とする画像処理装置。
【請求項４】
外部の電話機からの呼び出し後に前記状態判断手段の結果が省電力状態となった場合に前記着信履歴保持手段で保持した着信先に呼び出しをかけるリコール手段、
を持つことを特徴とする請求項３記載の画像処理装置。
【発明の詳細な説明】
【技術分野】
【０００１】
本発明は、外部の電話機からの呼び出しに応じてスタンバイ状態／省電力状態への移行処理を実行する画像処理装置に関するものである。
【背景技術】
【０００２】
従来、複写機はある一定時間使用されなかった場合に自動的に、あるいはユーザーからの「省電力キー」等の複写機操作部上のキー操作により、消費電力の少ない省電力状態に移行し、省電力状態にある複写機を使用する場合には、もう一度「省電力キー」を押下することでスタンバイ状態への復帰処理を開始させ、復帰処理終了後にユーザーが複写機を使用できる状態となる。このように、省電力状態とスタンバイ状態の２つの状態をもたせることで、複写機全体の消費電力を低く抑えるような機能が実現されている（例えば、特許文献１参照。）。
【特許文献１】特開平９−１０６２２５号公報
【発明の開示】
【発明が解決しようとする課題】
【０００３】
しかしながら上述のように、複写機に省電力状態とスタンバイ状態の２つの状態をもたせたことにより、ユーザーが複写機を使用する際に複写機が省電力状態にあると、ユーザーはスタンバイ状態となるまでの復帰処理を待たなければならず、特に復帰処理で時間のかかる定着機の昇温処理には数分必要となる場合もあり、その間ユーザーは複写機の前で時間を浪費することになっていた。また逆に、スタンバイ状態にある複写機を省電力状態に落とすためには自動的に移行するのを待つ意外には、ユーザーが直接複写機の操作パネル上の「省電力キー」を押下しなければならなかった。
【課題を解決するための手段】
【０００４】
上述した省電力状態からスタンバイ状態への復帰処理に関する課題を解決するために、
外部の電話機と回線をつなぐための通信手段、消費電力が低い省電力状態へ移行するための省電力移行手段、前記省電力状態から復帰し動作が可能であるスタンバイ状態に移行するための省電力復帰手段を有する画像処理装置であって、
画像処理装置の状態が省電力状態かスタンバイ状態かを判断する状態判断手段、外部の電話機からの呼び出しを着信履歴として内部で保持するための着信履歴保持手段、電話機からの呼び出し後、前記状態判断手段の結果に応じて省電力状態からスタンバイ状態への復帰処理を行なわなければならないかを判断する復帰処理判断手段を持つことを特徴とする画像処理装置。
【０００５】
さらに、外部の電話機からの呼び出し後に前記状態判断手段の結果がスタンバイ状態となった場合に前記着信履歴保持手段で保持した着信先に呼び出しをかけるリコール手段、を持つことを特徴とする画像処理装置。
【０００６】
また上述したスタンバイ状態から省電力状態への移行処理に関する課題を解決するために、
外部の電話機と回線をつなぐための通信手段、消費電力が低い省電力状態へ移行するための省電力移行手段、前記省電力状態から復帰し動作が可能であるスタンバイ状態に移行するための省電力復帰手段を有する画像処理装置であって、画像処理装置の状態が省電力状態かスタンバイ状態かを判断する状態判断手段、外部の電話機からの呼び出しを着信履歴として内部で保持するための着信履歴保持手段、電話機からの呼び出しに対し、前記状態判断手段の結果に応じてスタンバイ状態から省電力状態への移行処理を行なわなければならないかを判断する省電力移行処理判断手段、を持つことを特徴とする画像処理装置。
【０００７】
さらに、外部の電話機からの呼び出し後に前記状態判断手段の結果が省電力状態となった場合に前記着信履歴保持手段で保持した着信先に呼び出しをかけるリコール手段、を持つことを特徴とする画像処理装置。
【発明の効果】
【０００８】
本発明によって、省電力状態にある複写機を外部の電話機からスタンバイ状態への復帰処理を指示することが可能となり、復帰処理が終了しスタンバイ状態となった時点で複写機がユーザーの電話機へリコールを行なうことで、ユーザーはリコールを受けるまで他のことをすることができ、複写機の前で復帰処理をただ待つということがなくなる。
【０００９】
また、使用後はスタンバイ状態から省電力状態への指示も電話機からすることが可能となり、ユーザーの利便性を向上させることができる。
【発明を実施するための最良の形態】
【００１０】
以下本発明を実施するための最良の形態を、実施例により詳しく説明する。
【実施例１】
【００１１】
図１は、本発明にかかる基本的なシステム構成を示す図である。図１において、１−４は、デジタル複合機で、プリントジョブ、スキャンジョブ、ファックスジョブ、コピージョブ等、種々のジョブを実行処理し、装置内部には印刷データを保存しておく外部記憶装置が備わっている。１−１、１−２、１−３は、種々のジョブを生成しデジタル複合機１−４にジョブを送信するホストコンピュータであり、またデジタル複合機１−４内部の外部記憶装置に印刷データを送信することができる。ホストコンピュータ１−１および１−２はそれぞれが、ＬＡＮ（ローカルエリアネットワーク）１−５に接続されており、また、ホストコンピュータ１−３は、ＬＡＮではなくパラレル（またはシリアル）などのインターフェイス１−６で接続されている。またデジタル複合機１−４は電話回線１−７により公衆回線１−８に接続され、外部の電話機（あるいはファックス機）１−９と回線を接続することができる。
【００１２】
図２は、本システムにおける基本的な構成を示すシステムブロック図である。２−１はＣＰＵ、即ち中央処理装置であり、この装置全体の制御及び演算処理等を行なうものである。２−２はＲＯＭ即ち読み出し専用メモリであり、システム起動プログラムやプリンタエンジンの制御を行なうプログラム及び文字データ、文字コード情報等の記憶領域である。２−３はＲＡＭ即ちランダムアクセスメモリであり、使用制限のないデータ記憶領域で、ダウンロードにより追加登録されたフォントデータが記憶されたり、様々な処理毎にプログラムやデータがロードされ実行される。また画像データを処理する際に一時記憶するための画像メモリでもある。２−４は、例えばハードディスク等の外部記憶装置であり、印刷装置か受け付けた印刷ジョブをスプールしたり、プログラムや画像データ等が格納されたり、作業用の領域として利用されたりする。
【００１３】
２−５は液晶などの表示部であり、印刷装置の設定状態や、現在の印刷装置内部の処理、エラー状態などの表示に使用される。２−６は操作部であり、印刷装置の設定を変更したり、リセットするために使用される。２−７はエンジンインターフェイスであり実際にエンジンを制御するコマンド等のやり取りする口である。ここでのエンジンとはスキャナおよびプリンタを指す。２−８はネットワークインターフェイスであり、このインターフェイスを介して機器がネットワークに接続される。２−９は外部インターフェイスであり、パラレル（またはシリアル）などのインターフェイスを介してホストコンピュータと接続される。
【００１４】
２−１０はシステムバスであり、上述の構成要素間のデータの通路となるべきものである。例えば、スキャナから画像データを読み取り、プリンタから出力するコピー動作は次のようになる。操作部２−６の入力をきっかけにして、ＲＡＭ２−３に格納されたプログラムが動作を始め、まずエンジンＩ／Ｆ２−７を介してスキャナ２−１１に起動が掛かり原稿の読み取りが始まる。読み取られた画像データは一旦ＲＡＭ２−３に格納される。
【００１５】
次にエンジンＩ／Ｆ２−８を介してプリンタに起動が掛かり、プリンタと同期して先ほどＲＡＭ２−３に格納された画像データが出力される。ここでは、一度画像データをＲＡＭ２−３に格納し終わってから、プリンタに出力する場合を説明したが、スキャナ２−１１の画像読み取りに同期して、ＲＡＭ２−３への格納とプリンタ２−１２への出力を同時に行なうことも考えられる。また、動作中には操作者に処理中であることを知らせたり、読み取り原稿枚数を通知する情報が表示部２−５には表示される。さらに、格納した画像データをネットワークＩ／Ｆ２−８を介して他のプリンタや複写機に転送したり、外部記憶装置２−４に画像データを不揮発データとして保存することも可能である。２−１３は通信制御部であり、着信や発呼及び画像データの送受信等を行い、モデム２−１４及びＮＣＵ２−１５を有している。
【実施例２】
【００１６】
図３は、複写機が外部の電話機からの着信を受け、復帰処理を行い、その電話機へリコールするまでのシーケンスを表したものである。まず、複写機が外部の電話機からの着信を受けると（ステップＳ３−１）、その電話番号（ここでは説明のし易さのためにＮとする）を着信履歴として内部へ保存する（ステップＳ３−２）。次にステップＳ３−３にて、現在複写機が省電力状態にあるのかスタンバイ状態にあるのかを判断し、省電力状態にある場合はステップＳ３−４へと進む。ステップＳ３−４では複写機の復帰処理を行い、復帰処理が終了後にステップＳ３−５へ進む。ステップＳ３−３において省電力状態ではないと判断された場合、ただちにステップＳ３−５へ進む。ステップＳ３−５では、ステップＳ３−２で保存した着信番号（Ｎ）へリコールし、その後速やかに切断する。
【実施例３】
【００１７】
図４は、複写機が外部電話機からの着信を受け、省電力移行処理を行い、その電話機へリコールするまでのシーケンスを表したのものである。まず、複写機が外部の電話機からの着信を受けると（ステップＳ４−１）、その電話番号（ここでは説明のし易さのためにＮとする）を着信履歴として内部へ保存する（ステップＳ４−２）。次にステップＳ４−３にて、現在複写機がスタンバイ状態にあるのか省電力状態にあるのかを判断し、スタンバイ状態にある場合はステップＳ４−４へと進む。ステップＳ４−４では複写機の省電力移行処理を行い、省電力移行処理が終了後にステップＳ４−５へ進む。ステップＳ４−３においてスタンバイ状態ではないと判断された場合、ただちにステップＳ４−５へ進む。ステップＳ４−５では、ステップＳ４−２で保存した着信番号（Ｎ）へリコールし、その後速やかに切断する。
【図面の簡単な説明】
【００１８】
【図１】画像処理システムの構成を示す図
【図２】基本的な構成を示すブロック図
【図３】複写機が外部電話機からの着信を受け、復帰処理を行なう場合のシーケンス図
【図４】複写機が外部電話機からの着信を受け、省電力移行処理を行なう場合のシーケンス図
【符号の説明】
【００１９】
１−１    ホストコンピュータ
１−２    ホストコンピュータ
１−３    ホストコンピュータ
１−４    デジタル複合機
１−５    ＬＡＮ（ローカルエリアネットワーク）
１−６    パラレル（またはシリアル）などのインターフェイス
１−７    電話回線
１−８    公衆回線
１−９    電話機
２−１    ＣＰＵ
２−２    ＲＯＭ
２−３    ＲＡＭ
２−４    外部記憶装置
２−５    表示部
２−６    操作部
２−７    エンジンＩ／Ｆ
２−８    ネットワークＩ／Ｆ
２−９    外部Ｉ／Ｆ
２−１０  システムバス
２−１１  スキャナ
２−１２  プリンタ
２−１３  通信制御部
２−１４  モデム
２−１５  ＮＣＵ
【図１】
2006165657.tif 000003
【図２】
2006165657.tif 000004
【図３】
2006165657.tif 000005
【図４】
2006165657.tif 000006